(57)【特許請求の範囲】
【請求項１】
塵芥を収容する収容箱の後部に装着する投入箱を有し、
前記投入箱は、
上下方向に移動して前記投入箱の開口部を開閉する後部扉と、
前記開口部の側方に配置される面材と、
前記後部扉の左右方向を長手方向として前記後部扉の外方に配置される把手棒と
を有し、
前記後部扉の前記左右方向に移動可能に前記後部扉の内方の両側部に配置される一対のロックピンと、
前記面材に形成されて前記ロックピンと係合する係合部と、
前記ロックピンを前記係合部に係合させる方向に付勢する付勢部材とを有する
塵芥収集車の後部扉のロック装置であって、
前記後部扉の前記両側部に形成される一対の貫通孔と、
前記ロックピンに取り付けられる一対の変位部材と、
前記貫通孔を貫通し、一端側を前記把手棒に取り付け、他端側を前記変位部材に当接させる一対の保持棒と、
前記後部扉に取り付けられて前記保持棒を回動可能に保持する保持棒回動軸と
を備え、
前記係合部は、傾斜面が形成された突起部で構成され、
前記係合部として、
前記開口部の下方位置に配置した第１係合部と、
前記開口部の上方位置に配置した第２係合部と
を備え、
前記第１係合部に前記ロックピンを係合した状態では、
前記把手棒を上方に操作することで、前記保持棒の前記他端側が下方に変位して前記ロックピンが前記第１係合部から解除され、
前記第２係合部に前記ロックピンを係合した状態では、
前記把手棒を下方に操作することで、前記保持棒の前記他端側が上方に変位して前記ロックピンが前記第２係合部から解除される
ことを特徴とする塵芥収集車の後部扉のロック装置。
【請求項２】
前記変位部材に形成されて前記保持棒の他端側が当接するカム溝には、
前記把手棒を操作しない状態で前記保持棒が位置する中立部位と、
前記把手棒を上方に操作した状態で前記保持棒が位置する下方部位と、
前記把手棒を下方に操作した状態で前記保持棒が位置する上方部位と、
前記中立部位から前記下方部位まで前記保持棒が摺動する第１摺動部と、
前記中立部位から前記上方部位まで前記保持棒が摺動する第２摺動部と
が形成されている
ことを特徴とする請求項１に記載の塵芥収集車の後部扉のロック装置。
【請求項３】
前記把手棒の両端を、前記保持棒の取り付け位置よりも突出させている
ことを特徴とする請求項１又は請求項２に記載の塵芥収集車の後部扉のロック装置。
【請求項４】
請求項１から請求項３のいずれかに記載の塵芥収集車の後部扉のロック装置を備えた塵芥収集車であって、
前記投入箱の内部に積み込み手段を備えた
ことを特徴とする塵芥収集車。
【発明の詳細な説明】
【技術分野】
【０００１】
本発明は、上下方向に移動して開口部を開閉する扉に用いる塵芥収集車の後部扉のロック装置、およびこの塵芥収集車の後部扉のロック装置を備えた塵芥収集車に関する。
【背景技術】
【０００２】
特許文献１には、塵芥収集車における開閉扉のロック装置が開示されている。
特許文献１に開示されているように、一般にロック機構は、扉の左右に一対設けられ、左右一対の把手を操作することでロック解除が行われる。
【先行技術文献】
【特許文献】
【０００３】
【特許文献１】特開平１０−２９７０１号公報
【発明の概要】
【発明が解決しようとする課題】
【０００４】
しかし、左右一対の把手でロック解除を行う場合には、両手で行わなければならず、投入する塵芥から一旦手を離し、扉を開いた後に改めて塵芥を手に持って投入箱に投入しなければならず、作業効率が悪いという問題を有している。
【０００５】
そこで、本発明は、片手での操作によりロック解除を行える塵芥収集車の後部扉のロック装置を提供することを目的とする。
【課題を解決するための手段】
【０００６】
請求項１記載の本発明の塵芥収集車の後部扉のロック装置は、塵芥を収容する収容箱の後部に装着する投入箱を有し、前記投入箱は、上下方向に移動して前記投入箱の開口部を開閉する後部扉と、前記開口部の側方に配置される面材と、前記後部扉の左右方向を長手方向として前記後部扉の外方に配置される把手棒とを有し、前記後部扉の前記左右方向に移動可能に前記後部扉の内方の両側部に配置される一対のロックピンと、前記面材に形成されて前記ロックピンと係合する係合部と、前記ロックピンを前記係合部に係合させる方向に付勢する付勢部材とを有する塵芥収集車の後部扉のロック装置であって、前記後部扉の前記両側部に形成される一対の貫通孔と、前記ロックピンに取り付けられる一対の変位部材と、前記貫通孔を貫通し、一端側を前記把手棒に取り付け、他端側を前記変位部材に当接させる一対の保持棒と、前記後部扉に取り付けられて前記保持棒を回動可能に保持する保持棒回動軸とを備え、前記係合部は、傾斜面が形成された突起部で構成され、前記係合部として、前記開口部の下方位置に配置した第１係合部と、前記開口部の上方位置に配置した第２係合部とを備え、前記第１係合部に前記ロックピンを係合した状態では、前記把手棒を上方に操作することで、前記保持棒の前記他端側が下方に変位して前記ロックピンが前記第１係合部から解除され、前記第２係合部に前記ロックピンを係合した状態では、前記把手棒を下方に操作することで、前記保持棒の前記他端側が上方に変位して前記ロックピンが前記第２係合部から解除されることを特徴とする。
請求項２記載の本発明は、請求項１に記載の塵芥収集車の後部扉のロック装置において、前記変位部材に形成されて前記保持棒の他端側が当接するカム溝には、前記把手棒を操作しない状態で前記保持棒が位置する中立部位と、前記把手棒を上方に操作した状態で前記保持棒が位置する下方部位と、前記把手棒を下方に操作した状態で前記保持棒が位置する上方部位と、前記中立部位から前記下方部位まで前記保持棒が摺動する第１摺動部と、前記中立部位から前記上方部位まで前記保持棒が摺動する第２摺動部とが形成されていることを特徴とする。
請求項３記載の本発明は、請求項１又は請求項２に記載の塵芥収集車の後部扉のロック装置において、前記把手棒の両端を、前記保持棒の取り付け位置よりも突出させていることを特徴とする。
請求項４記載の本発明は、請求項１から請求項３のいずれかに記載の塵芥収集車の後部扉のロック装置を備えた塵芥収集車であって、前記投入箱の内部に積み込み手段を備えたことを特徴とする。
【発明の効果】
【０００７】
本発明によれば、片手での把手棒の操作によりロック解除を行え、把手棒の上方または下方への操作によってロックピンが係合部から解除されるため、後部扉の開閉動作方向への操作によってロック解除を行え、更には把手棒のどの位置での操作でもロック解除が行える。
【図面の簡単な説明】
【０００８】
【図１】本発明の一実施例による塵芥収集車の後部扉を示す正面図
【図２】同塵芥収集車の投入箱を示す側面構成図であって、（ａ）後部扉の閉状態を示す図、（ｂ）後部扉の半開状態を示す図、（ｃ）後部扉の全開状態を示す図
【図３】本実施例による塵芥収集車の後部扉のロック装置のロック状態を示す要部構成図
【図４】本実施例による塵芥収集車の後部扉のロック装置の扉閉状態でのロック解除状態を示す要部構成図
【図５】本実施例による塵芥収集車の後部扉ロック装置の扉全開状態でのロック解除状態を示す要部構成図
【図６】本実施例による塵芥収集車の後部扉のロック装置の係合部の要部拡大図
【発明を実施するための形態】
【０００９】
本発明の第１の実施の形態による塵芥収集車の後部扉のロック装置は、後部扉の両側部に形成される一対の貫通孔と、ロックピンに取り付けられる一対の変位部材と、貫通孔を貫通し、一端側を把手棒に取り付け、他端側を変位部材に当接させる一対の保持棒と、後部扉に取り付けられて保持棒を回動可能に保持する保持棒回動軸とを備え、係合部は、傾斜面が形成された突起部で構成され、係合部として、開口部の下方位置に配置した第１係合部と、開口部の上方位置に配置した第２係合部とを備え、第１係合部にロックピンを係合した状態では、把手棒を上方に操作することで、保持棒の他端側が下方に変位してロックピンが第１係合部から解除され、第２係合部にロックピンを係合した状態では、把手棒を下方に操作することで、保持棒の他端側が上方に変位してロックピンが第２係合部から解除されるものである。本実施の形態によれば、片手での把手棒の操作によりロック解除を行え、把手棒の上方または下方への操作によってロックピンが係合部から解除されるため、後部扉の開閉動作方向への操作によってロック解除を行え、更には把手棒のどの位置での操作でもロック解除が行える。また、後部扉を上方へ移動させて後部扉を開く動作に伴ってロック解除を行え、後部扉を下方へ移動させて後部扉を閉じる動作に伴ってロック解除を行える。
【００１０】
本発明の第２の実施の形態は、第１の実施の形態による塵芥収集車の後部扉のロック装置において、変位部材に形成されて保持棒の他端側が当接するカム溝には、把手棒を操作しない状態で保持棒が位置する中立部位と、把手棒を上方に操作した状態で保持棒が位置する下方部位と、把手棒を下方に操作した状態で保持棒が位置する上方部位と、中立部位から下方部位まで保持棒が摺動する第１摺動部と、中立部位から上方部位まで保持棒が摺動する第２摺動部とが形成されているものである。本実施の形態によれば、中立部位から下方部位までの保持棒の摺動、中立部位から上方部位までの保持棒の摺動をスムーズに行わせることができる。
【００１１】
本発明の第３の実施の形態は、第１又は第２の実施の形態による塵芥収集車の後部扉のロック装置において、把手棒の両端を、保持棒の取り付け位置よりも突出させているものである。本実施の形態によれば、保持棒の取り付け位置よりも外方でロック解除と後部扉開閉の操作を行える。
【００１２】
本発明の第４の実施の形態は、第１から第３のいずれかの実施の形態による塵芥収集車の後部扉のロック装置を備えた塵芥収集車であって、投入箱の内部に積み込み手段を備えたものである。本実施の形態によれば、片手でロック解除と後部扉の開閉を行えるため、投入箱への塵芥投入作業を容易に行うことができる。
【実施例】
【００１３】
以下本発明の一実施例による塵芥収集車の後部扉のロック装置について説明する。
本実施例では、塵芥収集車の後部扉のロック装置を、塵芥収集車の投入箱の後部扉に適用している。
図１は本実施例による塵芥収集車の後部扉を示す正面図である。
本実施例による塵芥収集車１は、塵芥を収容する収容箱の後部に装着する投入箱２０を有している。
図１に示すように、投入箱２０は、上下方向に移動して投入箱２０の開口部を開閉する後部扉２１と、開口部の側方に配置される後方面材２２と、後部扉２１の開閉時に用いる把手棒６１とを備えている。
把手棒６１は、後部扉２１の左右方向を長手方向として後部扉２１の外下方に配置される。把手棒６１の両側には一対の保持棒６２を取り付けている。
本実施例による塵芥収集車１は、スポイラー型部材３０を配置している。
【００１４】
図２は同塵芥収集車の投入箱を示す側面構成図である。
図２（ａ）は後部扉の閉状態を、図２（ｂ）は後部扉の半開状態を、図２（ｃ）は後部扉の全開状態を示している。
投入箱２０は、後部扉２１を有する後方面材２２、一対の側面材２３、天面材２４、及び底面材２５で囲まれる空間内に、塵芥を収容箱に導く積み込み手段２６を備えている。後部扉２１及び後方面材２２は、下端が最も後方となり、上端が最も前方となるように湾曲している。なお、本実施例において、前方とは塵芥収集車１のキャビン側を指している。
【００１５】
本実施例による塵芥収集車１は、回転式塵芥収集車を示しており、積み込み手段２６は、前面材２８と後方面材２２との間で揺動軸２６ａを中心にして揺動する押し込み板２６ｂと、押し込み板２６ｂより下方において回転軸２６ｃを中心にして回転する回転板２６ｄとで構成される。揺動軸２６ａ及び回転軸２６ｃは、一対の側面材２３によって両端を軸支されている。
スポイラー型部材３０は、天面材２４に対向する位置に配置するスポイラー型本体３１と、スポイラー型本体３１の両端に設けた一対の接続部３２とからなる。スポイラー型本体３１は、一対の接続部３２によって側面材２３に取り付けている。スポイラー型部材３０には、テールランプ、作業表示灯、又はライセンスプレートなどの表示機器、及び後方を撮像する撮像部を設けている。表示機器や撮像部は、スポイラー型本体３１に設けることが好ましい。スポイラー型部材３０は、後方面材２２又は後部扉２１よりも後方に突出しない。
図２（ｃ）に示すように、後部扉２１が全開時であっても、把手棒６１はスポイラー型部材３０よりも下方に位置する。
【００１６】
後部扉２１は、上端部両端を一対のアーム４０によって支持され、下端部両端を後方面材２２の開口両側に配置した一対のレール５０によって支持されている。
アーム４０は、一端に回動軸４１を、他端に係合部４２を備えている。回動軸４１は、側面材２３に軸支されている。係合部４２は、後部扉２１に回動自在に設けている。回動軸４１は、揺動軸２６ａよりも高い位置で、揺動軸２６ａよりも前面材２８に近い位置に配置している。アーム４０は、接続部３２の側面材２３への取付け部３５を迂回するように湾曲させている。
図２（ｃ）に示すように、本実施例による塵芥収集車１は、開状態とした後部扉２１が天面材２４より外方に位置する。
そして、天面材２４とスポイラー型部材３０との間を後部扉２１が移動することで、後部扉２１の開閉が行われる。
【００１７】
なお、本実施例によれば、把手棒６１が後部扉２１の全開時にもスポイラー型部材３０よりも上方に位置することがないので、作業員の手がスポイラー型部材３０と天面材２４との間に挟まれることがなく、一方でスポイラー型部材３０を天面材２４に近接できるため、スポイラー型部材３０の突出を小さくできる。更に、汎用的な塵芥収集車１にあっては、後部扉２１の開閉時に用いる把手棒６１は、後部扉２１の全開時には作業員の頭部近傍に位置することから、スポイラー型部材３０は作業員の頭部近傍又は頭部よりも上方に位置することになり、例えば表示機器をスポイラー型部材３０に取り付ける場合には、後方からの視認性が高く、安全性に優れた機能を備えることができる。
また、本実施例によれば、投入箱２０の上部にスポイラー型部材３０を配置することで、撮像部が適した撮像対象領域及び角度で撮像できる。
また、本実施例によれば、スポイラー型部材３０を、後方面材２２よりも後方に突出させないことで、スポイラー型部材３０を配置しても車両の全長は長くならないため、車両の取回しなどの操作性に影響を与えることがない。
【００１８】
図３から図６は本実施例による塵芥収集車の後部扉のロック装置の要部構成図であり、図３はロック状態、図４は扉閉状態でのロック解除状態、図５は扉全開状態でのロック解除状態、図６は係合部の要部拡大図を示している。図３（ａ）、図４（ａ）、および図５（ａ）は要部上断面構成図、図３（ｂ）、図４（ｂ）、および図５（ｂ）は要部背面構成図、図３（ｃ）、図４（ｃ）、および図５（ｃ）は要部側断面構成図、図３（ｄ）、図４（ｄ）、および図５（ｄ）はカム溝を示す構成図である。
【００１９】
把手棒６１には保持棒６２を取り付けている。把手棒６１の両端は、保持棒６２の取り付け位置よりも突出させている。なお、図３から図５では把手棒６１の一端側だけを示している。
塵芥収集車の後部扉のロック装置は、一対のロックピン６３、ロックピン６３と係合する係合部６４、ロックピン６３を係合部６４に係合させる方向に付勢する付勢部材６５を備えている。一対のロックピン６３は、後部扉２１の左右方向に移動可能に後部扉２１の内方の両側部に配置され、係合部６４は後方面材２２に形成されている。
係合部６４は、２つの突起部で構成され、２つの突起部の間にロックピン６３の一端側を係合する。１つの突起部には傾斜面が形成されている。係合部６４として、図３および図４に示すように、開口部の下方位置に配置した第１係合部６４ａと、図５に示すように、開口部の上方位置に配置した第２係合部６４ｂとを備えている。第１係合部６４ａは、図６（ａ）に示すとおり傾斜面を形成した突起部を上部に、第２係合部６４ｂは、図６（ｂ）に示すとおり傾斜面を形成した突起部を下部に配置している。
ロックピン６３は、一端側が係合部６４に係合し、他端側６２ａには変位部材６６を取り付けている。変位部材６６には、カム溝７０が形成されている。
後部扉２１の両側部には、一対の貫通孔２９を形成している。
一対の保持棒６２は、貫通孔２９を貫通し、一端側を把手棒６１に取り付け、他端側aをカム溝７０に当接させている。保持棒回動軸６７は、後部扉２１の内方側に配置され、後部扉２１に取り付けられ、保持棒６２を回動可能に保持する。
【００２０】
カム溝７０には、把手棒６１を操作しない図３に示す状態で保持棒６２が位置する中立部位７１と、把手棒６１を上方に操作した図４に示す状態で保持棒６２が位置する下方部位７２と、把手棒６１を下方に操作した図５に示す状態で保持棒６２が位置する上方部位７３と、中立部位７１から下方部位７２まで保持棒６２が摺動する第１摺動部７４と、中立部位７１から上方部位７３まで保持棒６２が摺動する第２摺動部７５とが形成されている。保持棒６２が、カム溝７０を中立部位７１から下方部位、または上方部位へ摺動するとき、変位部材６６は左右方向にＬだけ移動する。
【００２１】
図３に示す状態から図４に示す状態のように、把手棒６１を上方（Ｖ１方向）に操作することで、保持棒６２は、保持棒回動軸６７を回動支点として、保持棒６２の他端側６２ａが下方に変位する。保持棒６２は、カム溝７０に当接した状態で保持棒６２の他端側６２ａが変位することで、変位部材６６が左右方向（図４に示す位置は図３に示す位置から左方向Ｈ１）にＬ１だけ変位し、変位部材６６の変位によってロックピン６３が係合部６４から解除される。
すなわち、保持棒６２は、図３に示す中立部位７１から、第１摺動部７４を摺動して、図４に示す下方部位７２に移動する。
図４に示す状態で、把手棒６１を上方に引き上げる操作を行うことで後部扉２１を上方へ移動させることができる。
このように、後部扉２１を上方へ移動させて後部扉２１を開く動作に伴ってロック解除を行える。
【００２２】
また、図５に示すように、把手棒６１を下方（Ｖ２方向）に操作することで、保持棒６２は、保持棒回動軸６７を回動支点として、保持棒６２の他端側６２ａが上方に変位する。保持棒６２は、カム溝７０に当接した状態で保持棒６２の他端側６２ａが変位することで、変位部材６６が左右方向（図５に示す位置は図３に示す位置から左方向Ｈ２）にＬ２だけ変位し、変位部材６６の変位によってロックピン６３が係合部６４から解除される。
把手棒６１を下方に操作したときの変位部材６６の変異Ｌ２は、把手棒６１を上方に操作したときの変位部材６６の変異Ｌ1と同じであってもよい。
すなわち、保持棒６２は、中立部位７１から、第２摺動部７５を摺動して上方部位７３に移動する。
図５に示す状態で、把手棒６１を下方に引き下げる操作を行うことで後部扉２１を下方へ移動させることができる。
このように、後部扉２１を下方へ移動させて後部扉２１を閉じる動作に伴ってロック解除を行える。
【００２３】
なお、塵芥収集車１は、プレス式塵芥収集車であってもよく、プレス式塵芥収集車では、積み込み手段２６は、上下方向に移動するアーム部材と、アーム部材の下端に回転軸２６ｃを有して所定角度回動する押し込み板２６ｂとで構成されている。
【００２４】
以上のように、本実施例によれば、片手での把手棒６１の操作により、ロック解除と後部扉２１の開閉動作を行える。
本実施例によれば、第１係合部６４ａにロックピン６３が係合された扉閉状態では、把手棒６１を上方に操作することで、保持棒６２の他端側６２ａが下方に変位してロックピン６３が第１係合部６４ａから解除される。また、第２係合部６４ｂにロックピン６３が係合された後部扉全開の状態では、把手棒６１を下方に操作することで、保持棒６２の他端側６２ａが上方に変位してロックピン６３が第２係合部６４ｂから解除される。このように、把手棒６１の上方または下方への操作によってロックピン６３が係合部６４から解除されるため、後部扉２１の開閉動作方向への操作によってロック解除を行える。また、把手棒６１のどの位置で操作してもロック解除が行える。
また、本実施例では把手棒６１の両端を、保持棒６２の取り付け位置よりも突出させているので、保持棒６２の取り付け位置よりも外方に位置する把手棒６１を操作してロック解除と後部扉開閉の両方を行える。
【産業上の利用可能性】
【００２５】
本発明は、上下方向に移動して開口部を開閉する扉に用いるが、塵芥収集車の後部扉に適している。
【符号の説明】
【００２６】
１  塵芥収集車
２０  投入箱
２１  後部扉
２２  後方面材（面材）
２９  貫通孔
６１  把手棒
６２  保持棒
６３  ロックピン
６４  係合部
６５  付勢部材
６６  変位部材
６７  保持棒回動軸
７０  カム溝
７１  中立部位
７２  下方部位
７３  上方部位
７４  第１摺動部
【図１】
0006614804.tif 000002
【図２】
0006614804.tif 000003
【図３】
0006614804.tif 000004
【図４】
0006614804.tif 000005
【図５】
0006614804.tif 000006
【図６】
0006614804.tif 000007